(57)【要約】【課題】円滑な開閉を長期間維持できる扉開閉機構を提供する。【解決手段】扉３０と本体の係合・離脱を行なうカム機構１００を扉３０の両側に設け、カム機構１００は扉３０の閉止状態では第１係止位置をとり、扉３０の一方を開放する際に扉３０が開放側にスライドして他方が回動自在にスライド規制された第２係止位置をとる扉開閉機構において、扉３０の回動軸となるヒンジピン１４と、ヒンジピン１４を相対的に摺動案内してカム機構１００を第１、第２係止位置に導く溝カム３、４と、ヒンジピン１４と同軸の円筒面６ｂを含む凹面６ａを有したリブ６と、溝カム４を凹設して第２係止位置で凹面６ａと摺接する第１カム面５ａと第１カム面５ａから凹欠して第１係止位置で凹面６ａとの干渉を回避する逃げ面５ｂとを有するボス５とを備え、凹面６ａの端部に面取り６ｃが設け、面取り６ｃに近接して対向する対向面５ｅを逃げ面５ｂに設けた。【選択図】図８
2008057108.tif 000002
【特許請求の範囲】
【請求項１】
扉の両側のそれぞれにおいて扉と本体の係合・離脱を行なうカム機構を設け、これらのカム機構は扉の両側で対称な第１係止位置と、同じく扉の両側で対称な第２係止位置をとることができ、扉の閉止状態では両側のカム機構とも第１係止位置をとり、扉の一方を開放する際に扉が開放側にスライドして他方のカム機構が回動自在にスライド規制された第２係止位置をとる扉開閉機構において、
前記カム機構は、前記扉の開成時に前記扉の回動軸となるヒンジピンと、前記ヒンジピンを相対的に摺動案内して前記カム機構を第１、第２係止位置に導く溝カムと、前記ヒンジピンと同心の円筒面を含む凹状の凹面に沿った摺動部を形成する摺動部材と、前記溝カムの端部が凹設されるとともに外周面が第２係止位置で前記摺動部と摺接する円筒面から成る第１カム面と第１カム面から凹欠して第１係止位置で前記摺動部との干渉を回避する逃げ面とから成るボスと、を備え、
前記摺動部が沿う前記凹面は第１係止位置で前記ボスが接近する側の端部に面取りが設けられるとともに、第１係止位置で前記面取りに近接して対向する対向面を前記逃げ面に設けたことを特徴とする扉開閉機構。
【請求項２】
前記逃げ面と前記溝カムとの間から第１カム面と前記溝カムとの間に延びた金属から成る補強アングルを前記ボスに埋設したことを特徴とする請求項１に記載の扉開閉機構。
【請求項３】
前記カム機構は前記ボス及び前記溝カムを有して扉に配されるスライドカム部材と、前記ヒンジピン及び前記摺動部材を有して本体に配されるロックカム部材とを備え、前記補強アングルを前記スライドカム部材にインサート成形したことを特徴とする請求項２に記載の扉開閉機構。
【請求項４】
前記逃げ面は、前記対向面と第１カム面とを連結するとともに、前記カム機構が第１係止位置から第２係止位置に移行する際に前記摺動部の端部に摺動して扉をスライド案内する第２カム面を有することを特徴とする請求項１〜請求項３のいずれかに記載の扉開閉機構。
【請求項５】
前記溝カムは前記ヒンジピンの軸方向に平行な２面から成る摺接部を有し、前記カム機構が第１係止位置から第２係止位置へ移行する際に前記摺接部が前記ヒンジピンの周面と摺接して前記ヒンジピンを相対的に案内することを特徴とする請求項１〜請求項４のいずれかに記載の扉開閉機構。
【請求項６】
前記ヒンジピンは本体の両側に金属により連結され、前記溝カムは扉の両側に樹脂により連結されることを特徴とする請求項５に記載の扉開閉機構。
【発明の詳細な説明】
【技術分野】
【０００１】
本発明は冷蔵庫等の扉開閉機構に関し、特に扉の対向する２辺のどちらからでも開閉できる扉開閉機構に関する。
【背景技術】
【０００２】
従来の扉開閉機構は特許文献１に開示されている。この扉開閉機構は本体と本体の開口部を塞ぐ扉との係合及び離脱を行なう一対のカム機構が扉の左右にそれぞれ対称に設けられている。図１７はこのカム機構を示す平面図である。カム機構１００は扉の下面に設けられるスライドカム部材１と、本体の開口部の底面に沿って設けられるロックカム部材２とから成っている。また、同様のカム機構１００が扉及び開口部の上面に設けられ、扉の上下が本体に支持されている。同図において、扉によりスライドカム部材１及びロックカム部材２が覆われるが、それぞれ実線で記載している。
【０００３】
スライドカム部材１には第１、第２溝カム３、４、ボス５、スライド外カム９が設けられる。ロックカム部材２にはヒンジピン１４、リブ６、ロック外カム１１（いずれも図中、斜線で示す）が設けられる。金属から成るヒンジピン１４はロックカム部材２にインサート成形され、扉の枢支軸となる。リブ６はヒンジピン１４と同心の円筒面から成る凹面６ａを有したアーチ状に形成される。ロック外カム１１はヒンジピン１４に対して所定距離離れて配置され、左右のヒンジピン１４を中心とした円筒面を含む摺動面１１ａ、１１ｂを両面に有している。
【０００４】
第１溝カム３はヒンジピン１４と係合し、本体側に開放端を有して水平面内で傾斜して形成される。第２溝カム４は第１溝カム３の開放端と反対の端部に連続し、第１溝カム３の開放端から離れる方向に屈曲して形成されるとともに、ヒンジピン１４と係合する。ボス５は第１溝カム３の端部及び第２溝カム４が凹設され、リブ６の凹面６ａと同じ半径の円筒面から成る第１カム面５ａを有している。
【０００５】
また、ボス５の周面は第１カム面５ａに対して扉の外側を凹欠した逃げ面５ｂが形成される。逃げ面５ｂは第２カム面５ｃ及び凸面５ｄから成っている。凸面５ｄは後述するようにカム機構１００が第１係止位置に配置された際に凹面６ａに沿うように形成される。第２カム面５ｃは凸面５ｄと第１カム面５ａとを連結し、カム機構１００が第１係止位置から第２係止位置に移行する際にリブ６の端部に摺動する。スライド外カム９はロック外カム１１と摺動可能に配され、左右のヒンジピン１４を中心とした円筒面を含む摺動面９ａ、９ｂを両面に有している。
【０００６】
扉を閉じた状態では両側のカム機構１００は図１７に示す第１係止位置に配置される。即ち、左右のヒンジピン１４が第２溝カム４の第１溝カム３に連続する側の端部に配置される。この時、ボス５の凸面５ｄがリブ６の凹面６ａに当接し、第１カム面５ａが凹面６ａに対して離れて配置される。第１溝カム３は左右方向に垂直な方向に対して傾斜しているため、左右の第１溝カム３の開放端からヒンジピン１４が同時に脱落しない。これにより、扉の脱落を防止することができる。
【０００７】
第１係止位置から例えば扉の右側を引くと、右側のカム機構１００はヒンジピン１４が第１溝カム３内を相対的に移動する。そして、スライド外カム９の摺動面９ｂとロック外カム１１の摺動面１１ｂとが摺動する。これにより、スライドカム部材１が案内される。
【０００８】
右側のヒンジピン１４が開放端に向かって内側に傾斜する第１溝カム３に案内されると、左右のヒンジピン１４の間隔が一定のため左側のヒンジピン１４が第２溝カム４内を外側に相対移動する。また、ボス５の第２カム面５ｃとリブ６の端部とが摺動する。これにより、図１８に示すように左側のカム機構１００は第１溝カム３とヒンジピン１４の係合が解除され、ヒンジピン１４が第２溝カム４の第１溝カム３から離れた端部に配置された第２係止位置に案内される。
【０００９】
第２係止位置では、ロック外カム１１の摺動面１１ａとスライド外カム９の摺動面９ａとが摺動して扉が案内される。また、リブ６の凹面６ａとボス５の第１カム面５ａとが摺動する。この時、ヒンジピン１４と第２溝カム４との係合により略前後方向への扉の移動が規制され、ボス５とリブ６との係合により略左右方向への扉の移動が規制される。これにより、扉は回動自在に支持されるとともにスライド規制される。そして、図中、左側のヒンジピン１４を枢支軸として扉が回動して開放される。カム機構１００は左右対称に形成されるため、扉を左側からも同様に開くことができる。
【００１０】
図１９は左側のスライドカム部材を示す底面図である。また、図２０は図１９のＨ−Ｈ断面図である。第１溝カム３の端部及び第２溝カム４はボス５に凹設され、第２溝カム４の終端の曲面は第１カム面５ａと同心に形成される。ボス５の凸面５ｄは第１カム面５ａに対して内側に偏心しているため、凸面５ｄと第２溝カム４との距離が狭くなる。
【００１１】
ヒンジピン１４はカム機構１００が第１係止位置から第２係止位置に移行する際に第２溝カム４の終端に衝突する。このため、ボス５は凸面５ｄと第２溝カム４との間が狭いためヒンジピン１４の衝突によって変形し易くなる。凸面５ｄと第２溝カム４と間には金属から成る断面コ字型で平面視矩形の補強アングル７が埋設されている。これにより、ボス５が補強され、ボス５の変形を防止することができる。
【００１２】
【特許文献１】特許第３４７９４１０号公報（第３頁−第９頁、第１２図）
【発明の開示】
【発明が解決しようとする課題】
【００１３】
しかしながら、上記従来の扉開閉機構によると、ボス５の凸面５ｄの第２カム面５ｃと連続する側の端部と第２溝カム４との距離が最も狭く、ボス５の強度が不十分で長期間の使用によってボス５が変形する場合がある。また、各部の要求される寸法精度が厳しいため温度変化や組立て状態等によって各部の位置関係にばらつきが生じると、リブ６の凹面６ａとボス５の第１カム面５ａとの摺動が正常に開始されない場合がある。これらにより、円滑な扉の開閉を維持することができない問題があった。
【００１４】
ボス５の変形を防止するためにリブ６の凹面６ａ及びボス５の第１カム面５ａの半径を大きくすると、凸面５ｄと第２溝カム４との距離を大きくすることができる。しかしながら、この構成によると第２係止位置の時にヒンジピン１４が扉の端面に対して離れて配置される。これにより、扉を開放した際に本体開口部の左右端が扉で覆われて扉開閉機構を備えた装置の使用性が低下する問題がある。また、扉の回動によってスライドカム部材１の外側後端Ｍ（図１８参照）が本体側に干渉するため扉を手前に配置する必要があり、扉開閉機構を備えた装置が大型化する問題がある。
【００１５】
本発明は、円滑な開閉を長期間維持できる扉開閉機構を提供することを目的とする。
【課題を解決するための手段】
【００１６】
上記目的を達成するために本発明は、扉の両側のそれぞれにおいて扉と本体の係合・離脱を行なうカム機構を設け、これらのカム機構は扉の両側で対称な第１係止位置と、同じく扉の両側で対称な第２係止位置をとることができ、扉の閉止状態では両側のカム機構とも第１係止位置をとり、扉の一方を開放する際に扉が開放側にスライドして他方のカム機構が回動自在にスライド規制された第２係止位置をとる扉開閉機構において、
前記カム機構は、前記扉の開成時に前記扉の回動軸となるヒンジピンと、前記ヒンジピンを相対的に摺動案内して前記カム機構を第１、第２係止位置に導く溝カムと、前記ヒンジピンと同心の円筒面を含む凹状の凹面に沿った摺動部を形成する摺動部材と、前記溝カムの端部が凹設されるとともに外周面が第２係止位置で前記摺動部と摺接する円筒面から成る第１カム面と第１カム面から凹欠して第１係止位置で前記摺動部との干渉を回避する逃げ面とから成るボスとを備え、
前記摺動部が沿う前記凹面は第１係止位置で前記ボスが接近する側の端部に面取りが設けられるとともに、第１係止位置で前記面取りに近接して対向する対向面を前記逃げ面に設けたことを特徴としている。
【００１７】
この構成によると、扉の例えば左右にカム機構が対称配置され、扉を左右から開くことができる。扉の閉止状態では両側のカム機構は第１係止位置に配置される。この時、ヒンジピンと同心の円筒面を含む凹面に沿った摺動部とボスの第１カム面とは接しておらず、逃げ面が摺動部に接近する。扉の一方を開くと他方のカム機構はヒンジピンが溝カムの案内によって相対移動し、凹面に形成される面取りに沿った摺動部にボスが摺動してカム機構が第２係止位置に移行する。これにより、摺動部とボスの逃げ面とが離れ、摺動部と第１カム面とが接する。そして、第１カム面が摺動部と摺動してヒンジピンを回動軸として扉が回動する。扉の上下或いは前後にカム機構を対称配置してもよい。ヒンジピンと同心の円筒面を含む凹面により摺動部を形成してもよく、ヒンジピンと同心の円筒面を含む凹面が包絡面となる多数のピンや突起部により摺動部を形成してもよい。
【００１８】
また本発明は、上記構成の扉開閉機構において、前記逃げ面と前記溝カムとの間から第１カム面と前記溝カムとの間に延びた金属から成る補強アングルを前記ボスに埋設したことを特徴としている。
【００１９】
また本発明は、上記構成の扉開閉機構において、前記カム機構は前記ボス及び前記溝カムを有して扉に配されるスライドカム部材と、前記ヒンジピン及び前記摺動部材を有して本体に配されるロックカム部材とを備え、前記補強アングルを前記スライドカム部材にインサート成形したことを特徴としている。
【００２０】
また本発明は、上記構成の扉開閉機構において、前記逃げ面は、前記対向面と第１カム面とを連結するとともに、前記カム機構が第１係止位置から第２係止位置に移行する際に前記摺動部の端部に摺動して扉をスライド案内する第２カム面を有することを特徴としている。この構成によると、第２カム面が摺動部の端部に摺動した後に第１、第２カム面の境界が凹面の面取りに沿う摺動部と摺動し、カム機構が第１係止位置から第２係止位置に移行する。そして、第１カム面が凹面の円筒面に沿う摺動部と摺動してカム機構は第２係止位置が保持される。
【００２１】
また本発明は、上記構成の扉開閉機構において、前記溝カムは前記ヒンジピンの軸方向に平行な２面から成る摺接部を有し、前記カム機構が第１係止位置から第２係止位置へ移行する際に前記摺接部が前記ヒンジピンの周面と摺接して前記ヒンジピンを相対的に案内することを特徴としている。
【００２２】
また本発明は、上記構成の扉開閉機構において、前記ヒンジピンは本体の両側に金属により連結され、前記溝カムは扉の両側に樹脂により連結されることを特徴としている。
【発明の効果】
【００２３】
本発明によると、ヒンジピンと同心の凹面の端部に面取りを設け、面取りに対向する対向面をボスの逃げ面に設けたので、溝カムとボスの逃げ面との距離を大きくすることができる。これにより、摺動部材の凹面及び第１カム面の半径を小さく保持してボスの強度を向上することができる。従って、ボスの変形を防止し、円滑な扉開閉を長期間維持することができる。
【００２４】
また本発明によると、逃げ面と溝カムとの間から第１カム面と溝カムとの間に延びた金属から成る補強アングルをボスに埋設したので、ボスの周面と溝カムに接近する部位に補強アングルを配設してボスの強度をより向上することができる。
【００２５】
また本発明によると、補強アングルをスライドカム部材にインサート成形したので、補強アングルを容易に配設することができる。
【００２６】
また本発明によると、対向面と第１カム面とを連結してカム機構が第１係止位置から第２係止位置に移行する際に摺動部の端部に摺動する第２カム面を逃げ面に設けたので、扉を容易にスライド移動させることができる。
【００２７】
また本発明によると、ヒンジピンの軸方向に平行な２面から成り、カム機構が第１係止位置から第２係止位置へ移行する際にヒンジピンの周面と摺接する摺接部を溝カムに設けたので、扉及び本体形成時の熱変形による両カム機構間の距離の変動を吸収して円滑な扉開閉を行うことができる。
【００２８】
また本発明によると、ヒンジピンは本体の両側に金属により連結され、溝カムは扉の両側に樹脂により連結されるので、本体側のカム機構間の距離と扉側のカム機構間の距離との差が生じやすくなっても摺接部により円滑な扉開閉を行うことができる。
【発明を実施するための最良の形態】
【００２９】
以下に本発明の実施形態を図面を参照して説明する。図１は一実施形態の扉開閉機構を示す平面図である。説明の便宜上、前述の図１７〜図２０に示す従来例と同様の部分には同一の符号を付している。扉開閉機構は本体（不図示）と本体の開口部を塞ぐ扉３０との係合及び離脱を行なう一対のカム機構１００が扉３０の左右にそれぞれ対称に設けられている。
【００３０】
扉３０は樹脂成形品の外枠内に発泡樹脂が充填されている。カム機構１００は扉３０の下面に設けられるスライドカム部材１と、本体の開口部の底面に沿って設けられるヒンジアングル１５とから成っている。また、同様のカム機構１００が扉３０及び開口部の上面に設けられ、扉３０の上下が本体に支持されている。開口部の上面に従来例と同様のロックカム部材２（図１７参照）を設けてもよい。尚、扉３０によりスライドカム部材１及びヒンジアングル１５が覆われるが、それぞれ実線で記載している。
【００３１】
図２はヒンジアングル１５を示す平面図である。また、図３〜図５はそれぞれ図２のＡ−Ａ断面図、Ｂ−Ｂ断面図、Ｃ−Ｃ断面図を示している。ヒンジアングル１５はステンレスや亜鉛メッキ鋼板等の金属から成る断面Ｌ字型のアングル部材１５ａを有している。アングル部材１５ａは本体の幅方向に延びて線対称に形成され、垂直面を本体開口部の下方にネジ止めして水平面が本体開口部の底面に沿うように配置される。
【００３２】
金属製のアングル部材１５ａには金属製のヒンジピン１４がカシメにより固着されている。また、金属製の絞り鍛造プレス品から成るロック外カム１１がヒンジピン１４から所定距離離れてカシメにより固着されている。ロック外カム１１は左右のヒンジピン１４を中心とした円筒面を含む摺動面１１ａ、１１ｂを両面に有している。
【００３３】
インサート成形によりアングル部材１５ａが樹脂製のヒンジカバー１５ｂに覆われてヒンジアングル１５が形成される。ヒンジカバー１５ｂにはヒンジピン１４と同心の円筒面６ｂ（図８参照）を含む凹面６ａ（摺動部）を有したアーチ状のリブ６（摺動部材）が形成されている。リブ６は円筒面６ｂを含む凹面６ａを有していればアーチ状でなくてもよい。
【００３４】
図６、図７はスライドカム部材１を示す平面図及び底面図である。スライドカム部材１には第１、第２溝カム３、４、ボス５、スライド外カム９が設けられる。第１溝カム３はヒンジピン１４と係合し、本体側に開放端を有して開放端が内側になるように水平面内で傾斜して形成される。第２溝カム４は第１溝カム３の開放端と反対の端部に連続し、第１溝カム３から屈曲して開放端から離れるように外側に向かって形成される。また、第２溝カム４はヒンジピン１４の軸方向に平行な２面から成る摺接部４ｂを有し、ヒンジピン１４と係合する。ボス５は第１溝カム３の端部及び第２溝カム４が凹設され、リブ６の凹面６ａの円筒面６ｂと同じ半径の円筒面から成る第１カム面５ａを有している。
【００３５】
また、ボス５の周面は第１カム面５ａに対して扉の外側を凹欠した逃げ面５ｂが形成される。逃げ面５ｂは第２カム面５ｃ、凸面５ｄ及び対向面５ｅから成っている。図８はリブ６及びボス５を示す詳細図である。後述するカム機構１００が第１係止位置の時に、リブ６の凹面６ａはボス５が接近する側の端部に円筒面６ｂに連続した面取り６ｃが形成されている。
【００３６】
面取り６ｃは平面から成るが、曲面（所謂コーナＲ）により形成してもよい。また、面取り６ｃを複数の曲面や平面の組み合わせにより形成してもよい。また、リブ６の外周は円筒面から成るが、凹面６ａと平行な同一厚さのリブ状に形成してもよい。また、リブ６の外周面に厚肉のリブを付加して補強してもよい。
【００３７】
ボス５の対向面５ｅはカム機構１００が第１係止位置の時に面取り６ｃに近接して対向した傾斜面から成る。凸面５ｄは対向面５ｅに連続し、第１係止位置でリブ６の円筒面６ｂに沿うように形成される。第２カム面５ｃは対向面５ｅと第１カム面５ａとを連結し、カム機構１００が第１係止位置から第２係止位置に移行する際にリブ６の端部に摺動する。
【００３８】
対向面５ｅは第１係止位置で面取り６ｃに沿った平面から成る。面取り６ｃが曲面から成る場合は対向面５ｅを面取り６ｃに沿う曲面により形成してもよい。また、面取り６ｃが複数の曲面や平面の組合わせから成る場合は、対向面５ｅを複数の曲面や平面の組合わせにより形成してもよい。
【００３９】
また、第１カム面５ａと凸面５ｄとを繋ぐように対向面５ｅを形成し、第２カム面５ｃを省いてもよい。尚、本実施形態では温度変化や部品寸法のバラツキ等の吸収のため、第１係止位置で凹面６ａと逃げ面５ｂとの間に隙間が形成されるようになっている。
【００４０】
図９は図７のＫ−Ｋ断面図を示している。図７、図９において、ボス５の底面側には逃げ面５ｂと第２溝カム４との間から第１カム面５ａと第２溝カム４との間に延びた金属から成る補強アングル３１が埋設されている。図１０（ａ）〜（ｃ）は補強アングル３１の平面図、側面図、正面図を示している。補強アングル３１はステンレス等の金属を曲げてアーチ状に形成され、スライドカム部材１にインサート成形されている。尚、アーチ状には曲面板、平面板及びこれらの組み合わせから成るものが含まれる。
【００４１】
また、図６、図７において、スライドカム部材１にはボス５に対して所定距離離れた位置にスライド外カム９が設けられる。スライド外カム９はロック外カム１１と摺動可能に配され、左右のヒンジピン１４を中心とした円筒面を含む摺動面９ａ、９ｂを両面に有している。また、スライド外カム９には底面側から金属から成る補強部材３２が埋設されている。スライド外カム９の周囲にはロック外カム１１が侵入可能な溝部３３が形成される。
【００４２】
図１１〜図１６は、扉３０の右側を開く際のヒンジアングル１５とスライドカム部材１の相対位置の推移を示す平面図である。扉３０を閉じた状態では両側のカム機構１００は図１１に示す第１係止位置に配置される。即ち、左右のヒンジピン１４が第２溝カム４の第１溝カム３に連続する側の端部に配置される。また、ボス５の凸面５ｄ及び対向面５ｅがリブ６の凹面６ａに沿って配置され、第１カム面５ａが凹面６ａに対して離れて配置される。
【００４３】
第１溝カム３は左右方向に垂直な方向に対して傾斜しているため、左右の第１溝カム３の開放端からのヒンジピン１４の係合離脱がない。従って、扉の脱落を防止することができる。
【００４４】
図１２は扉３０が右側から開き始めた状態を示している。この時、右側のヒンジピン１４は第１溝カム３内を開放端に向かって相対移動する。第１溝カム３は開放端が扉３０の内側に向かって傾斜しており、第２溝カム４は第１溝カム３との連結部分から外側に向かって延びている。両方のヒンジピン１４の間隔は一定のため、右側のヒンジピン１４が開放端に向かって内側に相対移動すると左側のヒンジピン１４は第１溝カム３から離れる方向に第２溝カム４内を外側に相対移動する。
【００４５】
これにより、両方のカム機構１００は第１係止位置から外れる。この時、左側のボス５の第２カム面５ｃがリブ６の端部と摺動し、扉３０を案内する。第２カム面５ｃが設けられない場合は、対向面５ｅが面取り６ｃと摺動して扉３０を案内することになる。尚、開放端が扉３０の外側に向かって傾斜するように第１溝カム３が形成される場合は、第２溝カム４は第１溝カム３との連結部分から内側に向かって延びて形成される。
【００４６】
図１３は、更に扉３０を右側から開いた状態を示している。この時、右側のスライド外カム９の摺動面９ｂがロック外カム１１の摺動面１１ｂと摺動する。そして、ヒンジピン１４に案内される傾斜した第１溝カム３によって扉３０が右へスライドする。扉３０の左側はヒンジピン１４により第２溝カム４の摺接部４ｂがヒンジピン１４の周面の２点と摺接しながら案内される。第２溝カム４は左右方向に対して傾斜するため、扉３０は後方向にスライドする。
【００４７】
更に扉が回動して図１４に示す状態になると、左側の第２溝カム４の第１溝カム３から離れた側の端部がヒンジピン１４と摺接する位置に配される。これにより左側のカム機構１００は第２係止位置となる。そして、ボス５がリブ６の円筒面６ｂと当接して摺動案内される。また、扉３０の右側では、スライド外カム９の摺動面９ｂがロック外カム１１の摺動面１１ｂと摺動する。
【００４８】
この時、左側のヒンジピン１４と第２溝カム４との係合により略前後方向への扉３０の移動が規制される。また、右側のヒンジピン１４と第１溝カム３との係合により略左右方向への扉３０の移動が規制される。これにより、扉３０は回動自在に支持されるとともにスライド規制される。
【００４９】
更に扉３０が回動して図１５に示す状態になると、右側のヒンジピン１４と第１溝カム３との係合が解除される。また、右側のロック外カム１１とスライド外カム９との係合が解除される。これにより、右側のカム機構１００の係合が解除される。扉３０の左側ではヒンジピン１４を中心としてスライド外カム９の摺動面９ａとロック外カム１１の摺動面１１ａとが摺動してスライド外カム９が案内される。
【００５０】
更に扉３０が回動して図１６に示す状態になると、ボス５の第２カム面５ｃ側の第１カム面５ａがリブ６の円筒面６ｂと摺動を開始する。これにより、左側のボス５とリブ６との係合により略左右方向への扉３０の移動が規制される。その後、スライド外カム９とロック外カム１１とが離れる。この時、左側のヒンジピン１４と第２溝カム４との係合により略前後方向への扉３０の移動が規制される。また、左側のボス５とリブ６との係合により略左右方向への扉３０の移動が規制される。従って、扉３０はヒンジピン１４を枢支軸として回動自在に支持されるとともにスライド規制される。
【００５１】
本実施形態によると、ヒンジピン１４と同心の凹面６ａの端部に面取り６ｃを設け、ボス５の逃げ面５ｂに対向面５ｅを設けたので、第２溝カム４とボス５の逃げ面５ｂとの距離を大きくすることができる。これにより、リブ６及び第１カム面５ａの半径を小さく保持してボス５の強度を向上することができる。従って、ボス５の変形を防止し、円滑な扉開閉を長期間維持することができる。
【００５２】
また、面取り６ｃを設けることにより、ボス５の第２カム面５ｃがリブ６の円筒面６ｂと摺動案内される直前までボス５とリブ６との間に隙間が形成される。このため、各部の寸法のバラツキや変形があっても円筒面６ｂと第１カム面５ａとの摺動を正常に開始することができる。これにより、より円滑な扉３０の開閉を維持することができる。
【００５３】
また、逃げ面５ｂと第２溝カム４との間から第１カム面５ａと第２溝カム４との間に延びるアーチ状の金属から成る補強アングル３１をボス５に埋設したので、ボス５の第２溝カム４に接近する部位に補強アングル３１を配設してボス５の強度をより向上することができる。
【００５４】
また、第２カム面５ｃを逃げ面５ｂに設けたので、第２カム面５ｃとリブ６の端部との摺動により扉３０を容易にスライド移動させることができる。
【００５５】
また、ヒンジピン１４の軸方向に平行な２面から成る摺接部４ｂを第２溝カム４に設けたので、扉３０や本体形成時の熱変形によって両スライドカム部材１間が１４ヒンジピン間よりも大きくなっても摺接部４ｂでヒンジピン１４を回動自在に支持することができる。従って、両カム機構１００間の距離の変動を吸収して円滑な扉開閉を行うことができる。
【００５６】
また、両側のヒンジピン１４は金属から成るヒンジアングル１５によって連結され、両側のスライドカム部材１は樹脂から成る扉３０の外箱により連結されるので、本体側のカム機構１００間の距離と扉３０側のカム機構１００間の距離との差が生じやすくなっても摺接部４ｂにより円滑な扉開閉を行うことができる。
【００５７】
本実施形態において、ヒンジピン１４と同心の円筒面６ｂ及び面取り６ｃを含む凹面６ａが包絡面となる多数のピンや突起部により、ボス５と摺動する摺動部を形成してもよい。即ち、ボス５と摺動する摺動部が円筒面６ｂ及び面取り６ｃを含む凹面６ａに沿って形成されていればよい。
【００５８】
また、リブ６に円筒面６ｂ及び面取り６ｃが形成される場合には、ボス５の周面を多数のピンや突起部により形成してもよい。即ち、ボス５の周面を形成する多数のピンや突起部の包絡面が第１、第２カム面５ａ、５ｂ及び対向面５ｅとなるように形成してもよい。
【００５９】
また、カム機構１００を扉の上下または前後に設けて上下または前後から扉を開くようにしてもよい。また、リブ６及びヒンジピン１４を扉３０側に設けて第１、第２溝カム３、４及びボス５を本体側に設けてもよい。また、ロック外カム１１を扉３０側に設けてスライド外カム９を本体側に設けてもよい。
【産業上の利用可能性】
【００６０】
本発明によると、扉の対向する２辺のどちらからでも開閉できる冷蔵庫等の扉開閉機構に利用することができる。
【図面の簡単な説明】
【００６１】
【図１】本発明の実施形態のカム機構を備えた扉開閉機構を示す平面図
【図２】本発明の実施形態のカム機構のヒンジアングルを示す平面図
【図３】図２のＡ−Ａ断面図
【図４】図２のＢ−Ｂ断面図
【図５】図２のＣ−Ｃ断面図
【図６】本発明の実施形態のカム機構のスライドカム部材を示す平面図
【図７】本発明の実施形態のカム機構のスライドカム部材を示す底面図
【図８】本発明の実施形態のカム機構のリブとボスとの位置を示す平面図
【図９】図７のＫ−Ｋ断面図
【図１０】本発明の実施形態のカム機構の補強アングルを示す図
【図１１】本発明の実施形態のカム機構の動作を説明する平面図
【図１２】本発明の実施形態のカム機構の動作を説明する平面図
【図１３】本発明の実施形態のカム機構の動作を説明する平面図
【図１４】本発明の実施形態のカム機構の動作を説明する平面図
【図１５】本発明の実施形態のカム機構の動作を説明する平面図
【図１６】本発明の実施形態のカム機構の動作を説明する平面図
【図１７】従来のカム機構の動作を説明する平面図
【図１８】従来のカム機構の動作を説明する平面図
【図１９】従来のカム機構のスライドカム部材を示す底面図
【図２０】図１９のＨ−Ｈ断面図
【符号の説明】
【００６２】
１    スライドカム部材
２    ロックカム部材
３    第１溝カム
４    第２溝カム
５    ボス
５ａ  第１カム面
５ｂ  逃げ面
５ｃ  第２カム面
５ｄ  凸面
５ｅ  対向面
６    リブ
６ａ  凹面
６ｂ  円筒面
６ｃ  面取り
９    スライド外カム
１１    ロック外カム
１４    ヒンジピン
１５    ヒンジアングル
３０    扉
３１    補強アングル
１００    カム機構
【図１】
2008057108.tif 000003
【図２】
2008057108.tif 000004
【図３】
2008057108.tif 000005
【図４】
2008057108.tif 000006
【図５】
2008057108.tif 000007
【図６】
2008057108.tif 000008
【図７】
2008057108.tif 000009
【図８】
2008057108.tif 000010
【図９】
2008057108.tif 000011
【図１０】
2008057108.tif 000012
【図１１】
2008057108.tif 000013
【図１２】
2008057108.tif 000014
【図１３】
2008057108.tif 000015
【図１４】
2008057108.tif 000016
【図１５】
2008057108.tif 000017
【図１６】
2008057108.tif 000018
【図１７】
2008057108.tif 000019
【図１８】
2008057108.tif 000020
【図１９】
2008057108.tif 000021
【図２０】
2008057108.tif 000022